(57)【要約】【課題】電池からの電解液の液漏れに関わりなく、電池の保持及び該電池から通信部への直流電力の供給を可能とすることにより、外部との通信を確実に行うことができる携帯型通信装置を提供する。【解決手段】緩衝部材７２ａ上に配置された端子７６の先端部９２ａが正電極１０４ａを上方に押圧し、一方で、緩衝部材７２ｂ上に配置された先端部９２ｂが負電極１０２ｂを上方に押圧する。この場合、先端部９２ａは、緩衝部材７２ａによって正電極１０４ａに確実に押し付けられると共に、先端部９２ｂは、緩衝部材７２ｂによって負電極１０２ｂに確実に押し付けられる。【選択図】図４
2008277096.tif 000002
【特許請求の範囲】
【請求項１】
外部と通信を行うための通信部、該通信部が配置される基板及び前記通信部に直流電力を供給可能な電池を共に収容するケースと、
前記ケースの内側と前記電池の一方の電極との間に配置される緩衝部材と、
基端部が前記ケースの内側に固定され且つ先端部が前記緩衝部材と前記一方の電極との間に挿入され、前記先端部により前記一方の電極を押圧可能な第１端子と、
前記基板に取り付けられ、前記第１端子の先端部に対向して前記電池の他方の電極に面接触可能な第２端子と、
前記基板における前記第２端子近傍を被覆する被覆部材と、
を備え、
前記第１端子、前記第２端子及び前記被覆部材は、前記電池の電解液に対して耐性を有し構成されている
ことを特徴とする携帯型通信装置。
【発明の詳細な説明】
【技術分野】
【０００１】
この発明は、外部と通信可能な携帯型通信装置に関し、より詳細には、操作者の操作に起因して無線を介し外部の受信機と通信可能なワイヤレス送信機に適用される携帯型通信装置に関する。
【背景技術】
【０００２】
近年、操作者の操作に起因して外部の受信機と通信を行うワイヤレス送信機等の携帯型通信装置が市販されている。この場合、前記受信機と通信を行う前記携帯型通信装置の通信部は、ボタン電池等の電池から供給される直流電力により駆動される。このような、携帯型の電子機器における電池の保持機構として、前記電池の正電極及び負電極を板ばね電極でそれぞれ押圧して保持する機構や、前記正電極を板ばね電極で押圧し、前記負電極をコイルスプリングで押圧して保持する機構が特許文献１〜４に開示されており、これらの板ばね及びコイルスプリングは、前記電池の保持部材及び該電池から前記通信部に直流電力を供給するための端子として機能する。
【０００３】
【特許文献１】特開平１０−１０６５２２号公報
【特許文献２】特開平１１−１３５０９５号公報
【特許文献３】特開２００１−２５０５２１号公報
【特許文献４】特開２００４−２２７７９１号公報
【発明の開示】
【発明が解決しようとする課題】
【０００４】
上記した電池の保持機構において、板ばね電極やコイルスプリングは、点接触により前記電池の各電極を押圧しているので、前記電池の液漏れ等に起因して前記板ばね及び前記コイルスプリングにおける前記各電極との接触部分が腐食すると、前記板ばね電極や前記コイルスプリングが折損する。この結果、前記電池の保持及び該電池から通信部への直流電力の供給が困難となり、携帯型通信装置と外部の受信機との通信を確実に行うことができない。
【０００５】
この発明は、上述した問題を解決するためになされたものであり、電池からの電解液の液漏れに関わりなく、電池の保持及び該電池から通信部への直流電力の供給を可能とすることにより、外部との通信を確実に行うことができる携帯型通信装置を提供することを目的とする。
【課題を解決するための手段】
【０００６】
上記した問題を解決するために、この発明は、外部と通信を行うための通信部、該通信部が配置される基板及び前記通信部に直流電力を供給可能な電池を共に収容するケースと、前記ケースの内側と前記電池の一方の電極との間に配置される緩衝部材と、基端部が前記ケースの内側に固定され且つ先端部が前記緩衝部材と前記一方の電極との間に挿入され、前記先端部により前記一方の電極を押圧可能な第１端子と、前記基板に取り付けられ、前記第１端子の先端部に対向して前記電池の他方の電極に面接触可能な第２端子と、前記基板における前記第２端子近傍を被覆する被覆部材とを備え、前記第１端子、前記第２端子及び前記被覆部材は、前記電池の電解液に対して耐性を有し構成されていることを特徴とする。
【発明の効果】
【０００７】
この発明によれば、ケース内において、第１端子が電池の一方の電極を押圧し、第２端子が前記電池の他方の電極と面接触している場合に、前記第１端子及び前記第２端子は、前記電池の電解液に対し耐性を有するので、前記電池からの電解液の液漏れがあっても、前記電解液による前記第１端子及び前記第２端子の腐食を回避することができる。すなわち、この発明では、上記した従来技術と比較して、前記腐食に起因した前記第１端子及び前記第２端子の折損を確実に防止することが可能である。
【０００８】
また、前記第１端子の先端部が緩衝部材によって前記一方の電極に確実に押し付けられるので、前記電池からの前記電解液の液漏れに関わりなく、前記第１端子及び前記第２端子により前記電池を保持し、前記電池から前記第１端子及び前記第２端子を介して通信部に直流電力を供給することが可能となり、携帯型通信装置と外部との通信を確実に行うことができる。
【０００９】
さらに、前記ケースの内側と前記一方の電極との間に前記緩衝部材を配置することで、携帯型通信装置の落下時における前記電池、前記第１端子の先端部、前記第２端子及び前記基板への衝撃を前記緩衝部材にて吸収することができる。
【００１０】
さらにまた、基板における前記第２端子近傍を被覆部材で被覆することにより、前記電池からの前記電解液の液漏れが発生しても、前記基板及び前記通信部に対する該電解液の影響を確実に回避することができる。
【発明を実施するための最良の形態】
【００１１】
この発明に係る携帯型通信装置をワイヤレス送信機に適用した好適な実施形態について、図１〜図４を参照しながら説明する。
【００１２】
この実施形態に係るワイヤレス送信機（携帯型通信装置）１０では、樹脂製の上カバー１２及び下カバー１４とを係合して構成される楕円体状のケース１３内に、通信部１５が配置された基板２６と、この通信部１５に直流電力を供給可能なボタン電池２８ａ、２８ｂとを共に収容されている。
【００１３】
上カバー１２には、このワイヤレス送信機１０を携帯する図示しない操作者が操作可能なボタン１８と、前記操作者がボタン１８を押している時間だけ発光するＬＥＤ（発光ダイオード）４０からの光を透過させて外部に放射可能な光透過部材２０とが取り付けられている。また、前記操作者が操作（押圧）するボタン１８の押圧部３２は、上カバー１２の凹部３３に配置され、一方で、このボタン１８の先端部３４は、上カバー１２を貫通してケース１３内に進入し、基板２６に配置されたセンサ３８を押圧可能である。さらに、ボタン１８の先端部３４の側面には、外部からケース１３内への塵埃や水の侵入を阻止するためのゴム製のパッキン３６が取り付けられている。
【００１４】
さらにまた、上カバー１２の側面には、略Ｌ字状の突出部２２が形成され、上カバー１２の底面（ケース１３の内側）には、爪部６０ａ、６０ｂ及び係止部６４ａ、６４ｂと突出部４７とがそれぞれ形成されている（図２〜図４参照）。
【００１５】
一方、下カバー１４の側面には、突出部２２に対向してＬ字状の突出部２４が形成され、下カバー１４の上面（ケース１３の内側）には、爪部６０ａ、６０ｂに対向する係止部６２ａ、６２ｂと、係止部６４ａ、６４ｂに対向する爪部６６ａ、６６ｂと、突出部４７に対向する突出部５４とがそれぞれ形成されている。
【００１６】
この場合、上カバー１２と下カバー１４との間にゴム製のパッキン１６を介挿させた状態で、爪部６０ａ、６０ｂを係止部６２ａ、６２ｂに係合させると共に、爪部６６ａ、６６ｂを係止部６４ａ、６４ｂに係合させるとケース１３が構成される。また、このケース１３（上カバー１２及び下カバー１４）の側面と突出部２２、２４とにより形成される開口１７に図示しない紐を通すことで、前記操作者が首からワイヤレス送信機１０をかけて携帯することが可能である。
【００１７】
ケース１３内側の下カバー１４の上面には、ボタン電池２８ａ、２８ｂを保持可能な電池保持機構３０が設けられている。
【００１８】
この電池保持機構３０は、ボタン電池２８ａ、２８ｂの側面を囲曉するように下カバー１４の上面から上カバー１２側に突出形成された電池囲曉部６９と、電池囲曉部６９に係合してボタン電池２８ａ、２８ｂを下カバー１４側に押さえ付ける電池押さえ部７８とを有する。
【００１９】
電池囲曉部６９は、ボタン電池２８ａの側面を囲曉する円筒状の囲曉部７０ａと、ボタン電池２８ｂの側面を囲曉する円筒状の囲曉部７０ｂと、囲曉部７０ａの側面と囲曉部７０ｂの側面とを連結する連結部７４とを備える。
【００２０】
この場合、連結部７４の上面には突起１００が形成され、囲曉部７０ａ、７０ｂの連結部７４側は、切欠８８ａ、８８ｂとされている(図３参照)。さらに、囲曉部７０ａにおける係止部６２ａ、６４ｂ側には、爪部８０ａ及び突出部８６ａがそれぞれ設けられ、該囲曉部７０ａにおける爪部８０ａ及び突出部８６ａと連結部７４との中間位置には、上カバー１２側に突出する円柱状の２つの突出部８４がそれぞれ設けられている。一方、囲曉部７０ｂにおける突出部５４側には、爪部８０ｂ及び突出部８６ｂがそれぞれ設けられている。
【００２１】
また、下カバー１４の上面における囲曉部７０ａ、７０ｂ内方には、連結部７４側に凹部９０ａ、９０ｂがそれぞれ形成されていると共に、シリコーン材料及びＰＥＴ（ポリエチレンテレフタレート）から構成されるゲル状のシートとしての緩衝部材７２ａ、７２ｂがそれぞれ配置されている（図３及び図４参照）。
【００２２】
さらに、電池囲曉部６９には、金属製の端子（第１端子）７６が取り付けられている。この端子７６は、ボタン電池２８ａ、２８ｂ中のアルカリ性電解液｛例えば、ＫＯＨ（水酸化カリウム）｝に対し耐性を有する金メッキによって表面処理されている。また、この端子７６の基端部９６は、連結部７４の突起１００に固定され、この基端部９６から連結部７４及び凹部９０ａ、９０ｂに沿って断面略Ｌ字状の板ばねとしての先端部９２ａ、９２ｂが延在している。そして、該先端部９２ａ、９２ｂの一部は、緩衝部材７２ａ、７２ｂにおける凹部９０ａ、９０ｂ側に配置されている（図４参照）。
【００２３】
ここで、ボタン電池２８ａは、負電極１０２ａを上カバー１２側とし且つ正電極１０４ａを下カバー１４側とした状態で囲曉部７０ａ内方に配置され、一方で、ボタン電池２８ｂは、正電極１０４ｂを上カバー１２側とし且つ負電極１０２ｂを下カバー１４側とした状態で囲曉部７０ｂ内方に配置されている。従って、先端部９２ａは、ボタン電池２８ａの正電極１０４ａと緩衝部材７２ａにおける凹部９０ａ側との間に挿入された状態で、該正電極１０４ａを上方に押圧し、一方で、先端部９２ｂは、ボタン電池２８ｂの負電極１０２ｂと緩衝部材７２ｂにおける凹部９０ｂ側との間に挿入された状態で、該負電極１０２ｂを上方に押圧する。なお、図２及び図３では、理解の容易化のために、ボタン電池２８ａの負電極１０２ａに「−」の符号を付け、ボタン電池２８ｂの正電極１０４ｂに「＋」の符号を付けて図示している。
【００２４】
また、先端部９２ａにおける正電極１０４ａに対する押圧部分（先端部９２ａの先端）の高さと、先端部９２ｂにおける負電極１０２ｂに対する押圧部分（先端部９２ｂの先端）の高さと、緩衝部材７２ａ、７２ｂにおける凹部９０ａ、９０ｂ以外の部分の高さとは、互いに略同一の高さとなるように設定されている。そのため、先端部９２ａ、９２ｂの前記押圧部分は、凹部９０ａ、９０ｂ内に収容されると共に、ボタン電池２８ａ、２８ｂは、囲曉部７０ａ、７０ｂ内方において、下カバー１４の上面と略平行な状態で配置される。
【００２５】
一方、電池押さえ部７８は、電池囲曉部６９に対向して略８字状に形成された樹脂製の部材であり、囲曉部７０ａ、７０ｂに対向する円環部１１０ａ、１１０ｂと、突出部８４に対向して円環部１１０ａの側面から突出形成された２つの突出部１１６と、爪部８０ａ及び突出部８６ａに対向して円環部１１０ａの側面から下方に延在する係止部１１４ａと、爪部８０ｂ及び突出部８６ｂに対向して円環部１１０ｂの側面から下方に延在する係止部１１４ｂとを備える（図２〜図４参照）。
【００２６】
この場合、ボタン電池２８ａ、２８ｂが囲曉部７０ａ、７０ｂ内方に配置されている状態で、突出部１１６に形成された孔１１８に突出部８４の先端を貫通させ、さらに、係止部１１４ａ、１１４ｂの側面を突出部８６ａ、８６ｂに沿わせながら、爪部８０ａ、８０ｂを係止部１１４ａ、１１４ｂにそれぞれ係合させると、ボタン電池２８ａの負電極１０２ａ側とボタン電池２８ｂの正電極１０４ｂ側とが電池押さえ部７８の円環部１１０ａ、１１０ｂにより上方からそれぞれ押さえ付けられ、一方で、ボタン電池２８ａの正電極１０４ａ側とボタン電池２８ｂの負電極１０２ｂ側とが端子７６の先端部９２ａ、９２ｂにより下方からそれぞれ押圧されて、ボタン電池２８ａ、２８ｂが電池保持機構３０内に保持される。
【００２７】
ところで、前述した上カバー１２の突出部４７には、埋め込み型のナット４６が取り付けられ、一方で、この突出部４７に対向する突出部５４では、ボルト４８が貫通可能である。従って、ワッシャ５０、５２を用い且つ基板２６の突出部４７、５４側をボルト４８のネジ部分で貫通させた状態で、該ボルト４８とナット４６とを締結させると、ケース１３内における電池保持機構３０の上方に基板２６が固定保持される。なお、参照数字の５６は、下カバー１４におけるボルト４８の頭部側に取り付けられたカバー５６である。
【００２８】
基板２６には、端子４２ａ、４２ｂと、通信部１５を構成する図示しない通信回路部、ＬＥＤ４０、センサ３８及びアンテナ５８とがそれぞれ配置されている。
【００２９】
センサ３８は、例えば、前記操作者によるボタン１８の押下作用に起因した先端部３４からセンサ３８への押圧力に応じた電気信号を前記通信回路部に出力する圧力センサである。
【００３０】
端子４２ａ、４２ｂは、前記アルカリ性電解液に対し耐性を有する前記金メッキにより表面処理されたステンレス製の円柱状導体であり、例えば、基板２６に対して半田付けにより固定されている。この場合、端子４２ａの先端部は、ボタン電池２８ａの負電極１０２ａに面接触し、一方で、端子４２ｂの先端部は、ボタン電池２８ｂの正電極１０４ｂに面接触している。また、基板２６における端子４２ａ、４２ｂ近傍は、前記アルカリ性電解液に対し耐性を有する樹脂材料にて構成される被覆部材４４ａ、４４ｂにより被覆されている。
【００３１】
図４に示すように、ボタン電池２８ａ、２８ｂは、端子７６を介し電気的に直列接続されているので、該ボタン電池２８ａ、２８ｂから端子４２ａ、４２ｂを介し通信部１５の前記通信回路部及びセンサ３８に直流電力が供給可能である。前記通信回路部は、前記直流電力により駆動され、センサ３８から前記電気信号が供給される時間内において、ＬＥＤ４０を点灯させると共に、アンテナ５８から無線を介し外部の受信機に前記電気信号に基づく所定の信号を送信する。
【００３２】
これにより、前記受信機側では、受信した前記信号に基づいて、該信号を送信したワイヤレス送信機１０（該ワイヤレス送信機１０を操作する操作者）を特定することが可能となる。一方、ＬＥＤ４０から発光した光は、光透過部材２０を介し外部に放射され、ボタン１８を押している前記操作者は、現在、ワイヤレス送信機１０から前記受信機に対して前記信号が送信されていることを容易に把握することができる。
【００３３】
このように、この実施形態に係るワイヤレス送信機１０では、ケース１３内において、端子７６の先端部９２ａがボタン電池２８ａの正電極１０４ａを押圧し、先端部９２ｂがボタン電池２８ｂの負電極１０２ｂを押圧し、端子４２ａがボタン電池２８ａの負電極１０２ａと面接触し、端子４２ｂがボタン電池２８ｂの正電極１０４ｂと面接触している。
【００３４】
この場合、各端子４２ａ、４２ｂ、７６は、ボタン電池２８ａ、２８ｂのアルカリ性電解液に対し耐性を有する金メッキにより表面処理されているので、前記電解液の液漏れがあっても、該電解液による各端子４２ａ、４２ｂ、７６の腐食を回避することができる。すなわち、この実施形態では、従来技術と比較して、前記腐食に起因した各端子４２ａ、４２ｂ、７６の折損を確実に防止することが可能である。
【００３５】
また、先端部９２ａが緩衝部材７２ａによって正電極１０４ａ側に確実に押し付けられると共に、先端部９２ｂが緩衝部材７２ｂによって負電極１０２ｂ側に確実に押し付けられるので、ボタン電池２８ａ、２８ｂからの前記電解液の液漏れに関わりなく、各端子４２ａ、４２ｂ、７６によりボタン電池２８ａ、２８ｂを電池保持機構３０内で確実に保持し、ボタン電池２８ａ、２８ｂから各端子４２ａ、４２ｂ、７６を介し通信部１５に直流電力を供給することが可能となる。従って、この実施形態によれば、ワイヤレス送信機１０から無線を介した外部の受信機への前記信号の送信を確実に行うことができる。
【００３６】
さらに、下カバー１４の上面（ケース１３の内側）とボタン電池２８ａの正電極１０４ａとの間に緩衝部材７２ａを配置し、下カバー１４の上面とボタン電池２８ｂの負電極１０２ｂとの間に緩衝部材７２ｂを配置することで、ワイヤレス送信機１０の落下時におけるボタン電池２８ａ、２８ｂ、端子７６の先端部９２ａ、９２ｂ、端子４２ａ、４２ｂ、基板２６及び電池押さえ部７８への衝撃を各緩衝部材７２ａ、７２ｂにて吸収することができる。
【００３７】
さらにまた、端子７６の先端部９２ａ、９２ｂの一部（ボタン電池２８ａ、２８ｂとの接触部分）が緩衝部材７２ａ、７２ｂ上に配置されることにより、前記接触部分に発生する曲げ応力（応力集中）を緩和することが可能となる。すなわち、緩衝部材７２ａ、７２ｂを設けない場合には、断面略Ｌ字状の板ばねとしての先端部９２ａ、９２ｂにおける連結部７４側の屈曲部から前記接触部分までが湾曲し、この湾曲部分に大きな曲げ応力が作用するためである。なお、先端部９２ａ、９２ｂからボタン電池２８ａ、２８ｂへの押圧力をさらに増大させるために、先端部９２ａ、９２ｂの厚みを大きくすることが望ましい。
【００３８】
さらにまた、基板２６における端子４２ａ、４２ｂ近傍を被覆部材４４ａ、４４ｂで被覆することにより、ボタン電池２８ａ、２８ｂから前記電解液が液漏れしても、基板２６及び通信部１５に対する前記電解液の影響を確実に回避することができる。
【００３９】
なお、この発明は、上述の実施形態に限らず、種々の構成を採り得ることは勿論である。
【図面の簡単な説明】
【００４０】
【図１】この実施形態に係るワイヤレス送信機の斜視図である。
【図２】図１のワイヤレス送信機の一部分解斜視図である。
【図３】図１のワイヤレス送信機の分解斜視図である。
【図４】図４は、図１のＩＶ−ＩＶ線に沿った断面図である。
【符号の説明】
【００４１】
１０…ワイヤレス送信機                １２、１４…カバー
１３…ケース                          １５…通信部
１８…ボタン                          ２６…基板
２８ａ、２８ｂ…ボタン電池            ３０…電池保持機構
３８…センサ                          ４０…ＬＥＤ
４２ａ、４２ｂ、７６…端子            ５８…アンテナ
６９…電池囲曉部                      ７０ａ、７０ｂ…囲曉部
７２ａ、７２ｂ…緩衝部材              ７４…連結部
７８…電池押さえ部                    ９０ａ、９０ｂ…凹部
１００…突起                          １０２ａ、１０２ｂ…負電極
１０４ａ、１０４ｂ…正電極            １１０ａ、１１０ｂ…円環部
【図１】
2008277096.tif 000003
【図２】
2008277096.tif 000004
【図３】
2008277096.tif 000005
【図４】
2008277096.tif 000006